(57)【要約】【課題】空気調和機の室外ユニットのモ−タ取付台の合成及び取付構造の強化を図り、本体運転時の振動等による不具合及び作業性の向上を図ること。【解決手段】モ−タ取付台2の下端部の前方側折曲部２ｂおよび後方側折曲部２ｃからなる取付足が底板１に密着することにより、モ−タ取付台２の合成が強くなり、製品の運送時にモ−タ取付台２が傾くことがなくなり、モ−タ取付台２の傾きによるファン６と熱交換器４の距離の不正規による本体運転時の振動、ビビリ音の発生および、振動による経年変化で切り起し部１ａが折れることを防止することができ、更にモ−タ取付台２の下端部の前方側折曲部２ｄおよび後方側折曲部２ｅを延長し、さらにその形状を底板１の絞り部１８に沿う形状とすることにより、モ−タ取付台２の底板１への取付状態が更に安定し、組立作業性を向上することができる。【選択図】図４
2006170556.tif 000002
【特許請求の範囲】
【請求項１】
底板上に熱交換器に対向して立設したモ−タ取付台および前記モ−タ取付台に具備したモ−タおよびファンを有し、前記底板にはネジ孔を有した切り起し部を設ける一方、前記モ−タ取付台の下端部に前記ネジ孔に対応する挿通孔を設けると共に、前記モ−タ取付台の下端部を前方側と後方側に折曲し、前方および後方側の折曲部が前記底板と密着することを特徴とする空気調和機。
【請求項２】
モ−タ取付台下方の前方および後方側の折曲部を延長し、さらに前記延長部の形状を前記底板の絞り形状に沿う形状としたことを特徴とする空気調和機。
【発明の詳細な説明】
【技術分野】
【０００１】
本発明は、空気調和機の室外機のモ−タ取付台の構造に関するものである。
【背景技術】
【０００２】
従来、この種の空気調和機の室外機のモ−タ取付台の構造としては、底板に係止爪とネジ孔とを設ける一方、モ−タ取付台の下端部に係止爪に対応する係止孔とネジ孔に対応する挿通孔を設けて下端部の固定を行うものがあった（例えば、特許文献１参照）。
【０００３】
図６および図７は、特許文献１に記載された従来の空気調和機のモ−タ取付台の取付け構造を示すものである。
【０００４】
図６および図７において、底板１に切り起し部１ａと切り起し１ｂを設け、モ−タ取付台２の下端部の前方側折曲部２ｂからなる取付足に切り起し１ｂに対応するスリット穴２ｋと切り起し部１ａに対応する挿通穴２ａを設け、ネジ１５で固定する構成とされている。
【特許文献１】特開平８−１７８３６１号公報
【発明の開示】
【発明が解決しようとする課題】
【０００５】
しかしながら、前記従来の構成では、モ−タ取付台の合成が弱く、またモ−タ取付台の下端部の折曲部からなる取付足の折曲方向が一方向の構造になっているため、製品の運送時にモ−タ取付台が傾き、ファンと熱交換器の距離が不正規になり、本体の正常な運転ができなくなったり、本体運転時に振動やビビリ音等の発生がしやすく、振動による経年変化でボルト取付板が折れるという課題を有していた。また、上記従来の構成では、モ−タ取付台の取付け構造が片持ちであるため、製品の組立時、モ−タ取付台の上端部を固定するまではモ−タ取付台の固定が不安定で作業性を悪化させるという課題も有していた。
【０００６】
本発明は、前記従来の課題を解決するもので、モ−タ取付台の合成が強く、モ−タ取付台の傾きを防いで、本体の正常な運転ができなくなったり、本体運転時に振動やビビリ音等の発生がしやすく、振動による経年変化でボルト取付板が折れるといったことがなく、また組立作業性の向上した空気調和機を提供することを目的とする。
【課題を解決するための手段】
【０００７】
前記従来の課題を解決するために、本発明の空気調和機は、モ−タ取付台の下端部の取付足を前方側折曲部と後方側折曲部から構成し、更に折曲部が底板と密着するようにしたものである。
【０００８】
これによってモ−タ取付台の合成が強くなり、製品の運送時にモ−タ取付台が傾き、ファンと熱交換器の距離が不正規になり、本体の正常な運転ができなくなるという課題、さらに本体運転時の振動やビビリ音の発生および、振動による経年変化でボルト取付板が折れるという課題を解消する。
【０００９】
また、本発明の空気調和機は、モ−タ取付台の下端部の取付足の前方側折曲部及び後方側折曲部を延長し、さらに延長部の形状を底板の絞り形状に沿う形状にしたものである。
【００１０】
これによって、製品の組立時にモ−タ取付台の固定が安定し、組立作業性の向上を図ることができる。
【発明の効果】
【００１１】
本発明の空気調和機は、本体の正常な運転ができなくなったり、本体運転時に振動やビビリ音等の発生がしやすく、振動による経年変化でボルト取付板が折れるといった不具合がなく、組立作業性の向上を図ることができる。
【発明を実施するための最良の形態】
【００１２】
第1の発明は、底板にはネジ孔を有した切り起し部を設け、底板上に熱交換器に対向して立設したモ−タ取付台の下端部にネジ孔に対応する挿通孔を設けると共に、モ−タ取付台の下端部の取付足を前方側折曲部と後方側折曲部から構成し、前方側折曲部および後方側折曲部が底板と密着することにより、モ−タ取付台の合成が強くなり、製品の運送時にモ−タ取付台が傾くことがなくなり、モ−タ取付台の傾きによるファンと熱交換器の距離の不正規による本体運転時の振動、ビビリ音の発生および、振動による経年変化で切り起し部が折れることを防止することができる。
【００１３】
第２の発明は、特に、第1の発明である空気調和機のモ−タ取付台の下端部の取付足の前方側折曲部及び後方側折曲部を延長し、さらに延長部の形状を底板の絞り形状に沿う形状にすることにより、モ−タ取付台の底板への取付状態が安定し、組立作業性を向上することができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態の空気調和機の縦断面図、図２は、本発明の第１の実施の形態の空気調和機の要部側断面図、図３は、本発明の第１の実施の形態の空気調和機の要部平断面図、図４は、本発明の第１の実施の形態の空気調和機の要部拡大図である。
【００１６】
図１および図２、図３、図４において、空気調和機の室外機の底板１上に、圧縮機３と熱交換器４を仕切り板５により区画して載置する。
【００１７】
底板１上には、熱交換器４に対向して立設したモ−タ取付台２、背面と両側面を構成する外箱９、上面を構成する天板１０、前面を構成する前板１１、モ−タ取付台２の上端部を係止するための熱交換器４と前板１１とを固定する連結板１２を載置し、更に底板１にはネジ孔１ｃを有した切り起し部１ａを設ける一方、モ−タ−取付台２の下端部にネジ孔１ｃに対応する挿通孔２ａを設け、ネジ１５で固着する。
【００１８】
更にモ−タ取付台２の下端部は前方側に折曲した前方側折曲部２ｂ、後方側に折曲した後方側折曲部２ｃからなる取付足を形成し、前方側折曲部２ｂと後方側折曲部２ｃが底板1と密着する構成となっている。
【００１９】
以上のように構成された空気調和機について、以下その動作、作用を説明する。
【００２０】
モ−タ取付台2の下端部の前方側折曲部２ｂおよび後方側折曲部２ｃからなる取付足が底板１に密着することにより、モ−タ取付台２の合成が強くなり、製品の運送時にモ−タ取付台２が傾くことがなくなり、モ−タ取付台２の傾きによるファン６と熱交換器４の距離の不正規による本体運転時の振動、ビビリ音の発生および、振動による経年変化で切り起し部１ａが折れることを防止することができる。
【００２１】
以上のように、本実施の形態においては底板にはネジ孔を有した切り起し部を設ける一方、モ−タ−取付台の下端部にネジ孔に対応する挿通孔を設け、ネジで固着し、更にモ−タ取付台の下端部の前方側折曲部、後方側折曲部が底板と密着することにより、モ−タ取付台の合成が強くなり、製品の運送時のモ−タ取付台の傾きによるファンと熱交換器の距離の不正規による本体運転時の振動、ビビリ音の発生、更に振動による経年変化で切り起し部が折れるといった不具合を防止することができる。
【００２２】
（実施の形態２）
図５は、本発明の第２の実施の形態の空気調和機の要部拡大図である。図５において、図４と同じ構成要素については同じ符号を用い、説明を省略する。
【００２３】
図５において、モ−タ取付台２の下端部の前方側折曲部２ｄおよび後方側折曲部２ｅを延長し、さらに前方側折曲部２ｄおよび後方側折曲部２ｅの形状を底板１の絞り部１８に沿う形状とする。これにより、モ−タ取付台の取付け構造が片持ちでないので、モ−タ取付台の上端部を固定しなくてもモ−タ取付台２の底板１への取付状態が更に安定し、組立作業性を向上することができる。
【００２４】
以上のように、本実施の形態においてはモ−タ取付台の下端部の前方側折曲部および後方側折曲部を延長し、さらにその形状を底板の絞り部に沿う形状とすることにより、モ−タ取付台の底板への取付状態が更に安定し、組立作業性を向上することができる。
【産業上の利用可能性】
【００２５】
以上のように、本発明にかかる空気調和機は、モ−タ取付台の下端部を前方側と後方側にそれぞれ折曲し、底板と折曲部が密着するものであり、この構成によれば、モ−タ取付台の合成が強くなることにより、モ−タ取付台の変形による本体運転時の振動、ビビリ音の発生等を抑制することができる。また、前記折曲部および後方側折曲部を延長し、さらに延長した折曲部の形状を底板の絞り形状に沿う形状にしたことにより、モ−タ取付台の底板への取付状態が安定し、組立作業性の向上が図れることができるので、モータを取付て使用する種々の機械の用途にも適用できる。
【図面の簡単な説明】
【００２６】
【図１】本発明の第１の実施の形態の空気調和機の縦断面図
【図２】本発明の第１の実施の形態の空気調和機の要部側断面図
【図３】本発明の第１の実施の形態の空気調和機の要部平断面図
【図４】本発明の第１の実施の形態の空気調和機の要部拡大図
【図５】本発明の第２の実施の形態の空気調和機の要部拡大図
【図６】従来の空気調和機の室外機を示す斜視図
【図７】従来の空気調和機の要部断面図
【符号の説明】
【００２７】
１  底板
１ａ  切り起し部
１ｂ  切り起し
１ｃ  ネジ孔
２  モ−タ取付台
２ａ  挿通孔
２ｂ、２ｄ  前方側折曲部
２ｃ、２ｅ  後方側折曲部
２ｋ  スリット穴
３  圧縮機
４  熱交換器
５  仕切り板
６  ファン
９  外箱
１０  天板
１１  前板
１２  連結板
１５  ネジ
１８  絞り部
【図１】
2006170556.tif 000003
【図２】
2006170556.tif 000004
【図３】
2006170556.tif 000005
【図４】
2006170556.tif 000006
【図５】
2006170556.tif 000007
【図６】
2006170556.tif 000008
【図７】
2006170556.tif 000009